(57)【特許請求の範囲】
【請求項１】
キャリアに関する制御情報をマッピングするためのワイヤレスデバイス（１１０）による方法であって、前記ワイヤレスデバイスは複数のサービングセルによってサーブされ、前記複数のサービングセルは少なくともプライマリセルおよびセカンダリセルを含み、
前記ワイヤレスデバイス（１１０）によって、前記複数のサービングセルの少なくとも１つのサービングセルと、前記セカンダリセルによって提供される少なくとも１つのＰＵＣＣＨチャネルとの間のマッピングを受信することと、
前記マッピングに基づいて、ＰＵＣＣＨ関連シグナリングが前記少なくとも１つのサービングセルの特定のサービングセル（３０２Ｋ）に対して送信されることになる特定のＰＵＣＣＨチャネルを決定することと、
前記ＰＵＣＣＨ関連シグナリングを前記特定のＰＵＣＣＨチャネル（３０２Ｋ）上で送信することと、
前記ＰＵＣＣＨ関連シグナリングが前記特定のサービングセルに対して送信される前記特定のＰＵＣＣＨチャネルが利用不可能になっていると決定することと、
前記特定のＰＵＣＣＨチャネルが利用不可能になっていると決定したことに応答して、前記複数のサービングセルのうちＰＵＣＣＨリソースで構成されていない候補セルを特定し、前記候補セルをＰＵＣＣＨリソースで再構成し、前記候補セルのバックアップＰＵＣＣＨチャネル上で前記ＰＵＣＣＨ関連シグナリングを前記ワイヤレスデバイスによって送ることと、を含む、方法。
【請求項２】
前記マッピングは、前記特定のサービングセル（３０２Ｋ）について、前記ＰＵＣＣＨ関連シグナリングが送信される前記特定のＰＵＣＣＨチャネルのインジケーションを含む、請求項１に記載の方法。
【請求項３】
前記マッピングは、前記特定のＰＵＣＣＨチャネルについて、ＰＵＣＣＨ関連シグナリングが前記特定のＰＵＣＣＨチャネル上で送信される任意のサービングセルのインジケーションを含む、請求項１に記載の方法。
【請求項４】
前記少なくとも１つのサービングセルと前記少なくとも１つのＰＵＣＣＨチャネルとの間の前記マッピングは、前記ＰＵＣＣＨ関連シグナリングのサブセットに適用可能である、請求項１に記載の方法。
【請求項５】
前記特定のＰＵＣＣＨチャネルが利用不可能であると決定することは、前記特定のＰＵＣＣＨチャネルが非アクティブ化されている、または関連付けられたアライメントタイマが満了もしくは停止していると決定することを含む、請求項１に記載の方法。
【請求項６】
ネットワークノードからＭＡＣ制御要素（ＭＡＣ  ＣＥ）を前記ワイヤレスデバイス（１１０）によって受信することであって、前記ＭＡＣ  ＣＥは前記特定のＰＵＣＣＨチャネルが前記ワイヤレスデバイス（１１０）によって使用されないことを示す、受信することと、
前記特定のＰＵＣＣＨチャネルが使用されないことを示す前記ＭＡＣ  ＣＥを受信したことに応答して、代替的なセル上で前記ＰＵＣＣＨ関連シグナリングを送ることであって、前記代替的なセルは無線リソース構成（ＲＲＣ）によって構成される、送ることと、をさらに含む、請求項１に記載の方法。
【請求項７】
キャリアに関する制御情報をマッピングするためのワイヤレスデバイス（１１０）であって、前記ワイヤレスデバイスは複数のサービングセルによってサーブされ、前記複数のサービングセルは少なくともプライマリセルおよびセカンダリセルを含み、
メモリ（２３０）と、
前記メモリ（２３０）と通信するプロセッサ（２２０）であって、
前記複数のサービングセルの少なくとも１つのサービングセルと、前記セカンダリセルによって提供される少なくとも１つのＰＵＣＣＨチャネルとの間のマッピングを受信し、
前記マッピングを前記メモリ（２３０）に記憶し、
前記マッピングに基づいて、ＰＵＣＣＨ関連シグナリングが前記少なくとも１つのサービングセルの特定のサービングセル（３０２Ｋ）に対して送信されることになる特定のＰＵＣＣＨチャネルを決定し、
前記ＰＵＣＣＨ関連シグナリングを前記特定のＰＵＣＣＨチャネル上で送信し、
前記ＰＵＣＣＨ関連シグナリングが前記サービングセルに対して送信される前記特定のＰＵＣＣＨチャネルが利用不可能になっていると決定し、かつ、
前記特定のＰＵＣＣＨチャネルが利用不可能になっていると決定したことに応答して、前記複数のサービングセルのうちＰＵＣＣＨリソースで構成されていない候補セルを特定し、前記候補セルをＰＵＣＣＨリソースで再構成し、前記候補セルのバックアップＰＵＣＣＨチャネル上で前記ＰＵＣＣＨ関連シグナリングを送信するように、動作可能である、プロセッサ（２２０）と、を備える、ワイヤレスデバイス（１１０）。
【請求項８】
前記マッピングは、前記特定のサービングセル（３０２Ｋ）について、前記ＰＵＣＣＨ関連シグナリングが送信される前記特定のＰＵＣＣＨチャネルのインジケーションを含む、請求項７に記載のワイヤレスデバイス（１１０）。
【請求項９】
前記マッピングは、前記特定のＰＵＣＣＨチャネルについて、ＰＵＣＣＨ関連シグナリングが前記特定のＰＵＣＣＨチャネル上で送信される任意のサービングセルのインジケーションを含む、請求項７に記載のワイヤレスデバイス（１１０）。
【請求項１０】
前記少なくとも１つのサービングセルと前記少なくとも１つのＰＵＣＣＨチャネルとの間の前記マッピングは、前記ＰＵＣＣＨ関連シグナリングのサブセットに適用可能である、請求項７に記載のワイヤレスデバイス（１１０）。
【請求項１１】
前記特定のＰＵＣＣＨチャネルが利用不可能であると前記プロセッサ（２２０）によって決定することは、前記特定のＰＵＣＣＨチャネルが非アクティブ化されている、または関連付けられたアライメントタイマが満了もしくは停止していると決定することを含む、請求項７に記載のワイヤレスデバイス（１１０）。
【請求項１２】
前記プロセッサ（２２０）は、前記特定のＰＵＣＣＨチャネルが前記ワイヤレスデバイスによって使用されないことを示すＭＡＣ制御要素（ＭＡＣ  ＣＥ）をネットワークノード（１１５）から受信するように、および、前記特定のＰＵＣＣＨチャネルが使用されないことを示す前記ＭＡＣ  ＣＥを受信したことに応答して、無線リソース構成（ＲＲＣ）によって構成される代替的なセル上で前記ＰＵＣＣＨ関連シグナリングを送信するように、さらに動作可能である、請求項７に記載のワイヤレスデバイス（１１０）。
【請求項１３】
キャリアに関する制御情報をマッピングするためのロジックであって、ワイヤレスデバイスの非一時的なコンピュータ可読媒体（２３０）上に記憶され、前記ワイヤレスデバイスは複数のサービングセルによってサーブされ、前記複数のサービングセルは少なくともプライマリセルおよびセカンダリセルを含み、プロセッサ（２２０）に、
前記複数のサービングセルの少なくとも１つのサービングセルと、前記セカンダリセルによって提供される少なくとも１つのＰＵＣＣＨチャネルとの間のマッピングを受信させ、
前記マッピングに基づいて、ＰＵＣＣＨ関連シグナリングが前記少なくとも１つのサービングセルの特定のサービングセル（３０２Ｋ）に対して送信されることになる特定のＰＵＣＣＨチャネルを決定させ、
前記ＰＵＣＣＨ関連シグナリングを前記特定のＰＵＣＣＨチャネル上で送信させ、
前記ＰＵＣＣＨ関連シグナリングが前記サービングセルに対して送信される前記特定のＰＵＣＣＨチャネルが利用不可能になっていると決定させ、および、
前記特定のＰＵＣＣＨチャネルが利用不可能になっていると決定したことに応答して、前記複数のサービングセルのうちＰＵＣＣＨリソースで構成されていない候補セルを特定し、前記候補セルをＰＵＣＣＨリソースで再構成し、前記候補セルのバックアップＰＵＣＣＨチャネル上で前記ＰＵＣＣＨ関連シグナリングを送信させるように、前記プロセッサ（２２０）によって実行される、ロジック。
【請求項１４】
前記マッピングは、前記特定のサービングセル（３０２Ｋ）について、前記ＰＵＣＣＨ関連シグナリングが送信される前記特定のＰＵＣＣＨチャネルのインジケーションを含む、請求項１３に記載のロジック。
【請求項１５】
前記マッピングは、前記特定のＰＵＣＣＨチャネルについて、ＰＵＣＣＨ関連シグナリングが前記特定のＰＵＣＣＨチャネル上で送信される任意のサービングセルのインジケーションを含む、請求項１３に記載のロジック。
【請求項１６】
前記少なくとも１つのサービングセルと前記少なくとも１つのＰＵＣＣＨチャネルとの間の前記マッピングは、前記ＰＵＣＣＨ関連シグナリングのサブセットに適用可能である、請求項１３に記載のロジック。
【請求項１７】
前記特定のＰＵＣＣＨチャネルが利用不可能であると決定することは、前記特定のＰＵＣＣＨチャネルが非アクティブ化されている、または関連付けられたアライメントタイマが満了もしくは停止していると決定することを含む、請求項１３に記載のロジック。
【請求項１８】
前記プロセッサ（２２０）に、前記特定のＰＵＣＣＨチャネルが前記ワイヤレスデバイスによって使用されないことを示すＭＡＣ制御要素（ＭＡＣ  ＣＥ）をネットワークノードから受信させ、および、前記特定のＰＵＣＣＨチャネルが使用されないことを示す前記ＭＡＣ  ＣＥを受信したことに応答して、無線リソース構成（ＲＲＣ）によって構成される代替的なセル上で前記ＰＵＣＣＨ関連シグナリングを送信させるように、前記プロセッサ（２２０）によってさらに実行される、請求項１３に記載のロジック。
【発明の詳細な説明】
【技術分野】
【０００１】
優先権
本出願は、「Ｍｅｔｈｏｄｓ  ｆｏｒ  Ｍａｐｐｉｎｇ  Ｃｏｎｔｒｏｌ  Ｉｎｆｏｒｍａｔｉｏｎ  ｏｎ  Ｃａｒｒｉｅｒｓ」という名称の、２０１５年４月１０日に出願した米国仮特許出願第６２／１４５，７９２号の優先権を主張するものであり、この開示は、参照により本明細書に組み込まれる。
【０００２】
本開示は、一般に、ワイヤレス通信に関し、より詳細には、キャリアに関する制御情報をマッピングするためのシステムおよび方法に関する。
【背景技術】
【０００３】
キャリアアグリゲーション（ＣＡ）は、Ｌｏｎｇ−Ｔｅｒｍ  Ｅｖｏｌｕｔｉｏｎ−ａｄｖａｎｃｅｄシステムの重要な特徴のうちの１つとして認識されている。ＣＡは、利用可能な帯域幅を増加させ、かつ、非隣接であり、さらには種々の帯域で、すなわち種々の周波数で動作している可能性がある複数のコンポーネントキャリア（ＣＣ）をアグリゲートすることによって、実現可能なデータレートを増大させる。断片化したスペクトルを所有するオペレータでも、強化したモバイルブロードバンド体感をアップリンク（ＵＬ）およびダウンリンク（ＤＬ）両方におけるエンドユーザに供給することができる。
【０００４】
ＣＡ標準化は、Ｌｏｎｇ−Ｔｅｒｍ  Ｅｖｏｌｕｔｉｏｎ（ＬＴＥ）リリース１０で開始し、後のリリースを通して継続した。改良点として、実現可能なデータレートのさらに一層の向上、および種々のシナリオへのＣＡアプリケーションの拡張が含まれる。現在は、種々の帯域幅の５ＣＣまでアグリゲートすることが可能である。例えば、現在、１．４ＭＨｚ、３ＭＨｚ、５ＭＨｚ、１０ＭＨｚ、１５ＭＨｚ、および２０ＭＨｚの帯域幅をアグリゲートして、最大アグリゲート帯域幅を１００ＭＨｚまで押し上げることができる。その結果、７５０Ｍｂまでは配信可能である。加えて、ＣＡは、時分割複信（ＴＤＤ）および周波数分割複信（ＦＤＤ）伝送方式の両方に適用可能である。リリース１２から、ＴＤＤキャリアおよびＦＤＤキャリアをアグリゲートすることも可能である。さらに、ＣＡは、連結されないセル、例えば、ＨｅｔＮｅｔ配置で構成され、この場合、連結されないセルの種々の伝搬条件によって、場合によっては複数のタイミングアドバンスグループが必要とされる。
【０００５】
ＣＡ対応ワイヤレスデバイスは、スペクトルにおいて隣接または非隣接のどちらであってもよい、プライマリキャリア（ＰＣｅｌｌ）および１つまたは複数のセカンダリキャリア（ＳＣｅｌｌ）で構成可能である。ＰＣｅｌｌおよびＳＣｅｌｌは、実際のワイヤレスデバイス能力によって、同じ帯域または異なる帯域で動作してよい。３ＧＰＰに従って、ＰＣｅｌｌによってのみ扱われるべきいくつかの動作が考えられる。１つのこのような動作は、物理アップリンク制御チャネル（ＰＵＣＣＨ）に対するアップリンク制御情報（ＵＣＩ）の送信を含む。ＰＣｅｌｌによって扱われることが考えられる他の動作には、コンテンションベースランダムアクセス（ＣＢＲＡ）、無線リソース制御（ＲＲＣ）シグナリング、非アクセス層（ＮＡＳ）情報、およびシステム情報放送が含まれる。さらなる相違として、ＰＣｅｌｌは常にアクティブと見なされるが、ＳＣｅｌｌはＭＡＣ制御要素（ＭＡＣ  ＣＥ）コマンドによって一時的にアクティブ化／非アクティブ化される可能性がある。
【０００６】
ＰＣｅｌｌの選択が行われた後、通常のハンドオーバ手順が行われる。例えば、ＰＣｅｌｌの選択は、イベントＡ３のような測定イベントによってトリガされ、かつ、ピギーバックされたＭｏｂｉｌｉｔｙＣｏｎｔｒｏｌＩｎｆｏによるＲＲＣ接続再構成によってワイヤレスデバイスに信号送信されてよい。また、ＳＣｅｌｌの選択は、典型的には、種々のキャリアからセル参照信号（ＣＲＳ）を発するＵＥによって報告される周期的なＲＳＲＰ測定に基づいて行われる。例えば、ある特定のＣＣが十分強力であると測定によって示される場合、ＣＣは、ＲＲＣシグナリングによって構成され、かつＵＥに対するサービングセルのリストに付加される。
【０００７】
ＳＣｅｌｌ構成がＲＲＣ層によって行われるのに加えて、ＳＣｅｌｌの実際のアクティブ化／非アクティブ化はＭＡＣ  ＣＥコマンドによって行われ得る。ワイヤレスデバイスベースでＭＡＣ層においてアクティブ化／非アクティブ化ルーチンを制御できる可能性によって、早いチャネル変動およびさまざまなトラフィック需要により良く対処できるようにする。例えば、ｅＮＢは、例えば、ＤＬ／ＵＬトラフィック需要、チャネル品質、および／または負荷の均衡化のポリシに関連するいくつかの特有のルールに従って動的に複数のサービングセルにおけるＤＬ／ＵＬトラフィックを導くことができる。
【０００８】
さらに、ワイヤレスデバイスが、並列多重の複数のＤＬキャリアを監視する一方でまた、複数のＵＬキャリア上で送信を多重化する必要があるため、ＣＡの導入には、ワイヤレスデバイスによってバッテリ電源の消費が増すという副次的作用がある。この問題は、ＣＣが同じ動作周波数帯域内に位置せず、ワイヤレスデバイスが複数の受信機／送信機のチェーンを同時に実行する必要があるバンド間キャリアアグリゲーションの場合にさらに一層重大になる。この理由のために、ＳＣｅｌｌのアクティブ化／非アクティブ化は、バッテリ消費に関するワイヤレスデバイス要件をより良好に満たす動的なやり方で行われるべきである。その結果、エネルギー節約とスループットブースティングとの間のトレードオフは、ＭＡＣ層がＳＣｅｌｌアクティブ化／非アクティブ化を要求する場合により良く遂行されると思われるが、これは、このトレードオフが、ＲＲＣ層で行うよりもより高い柔軟性および迅速性を与えるからである。
【０００９】
レガシＣＡ機能性のさらなる拡張は、「ＬＴＥ  Ｃａｒｒｉｅｒ  Ａｇｇｒｅｇａｔｉｏｎ  Ｅｎｈａｎｃｅｍｅｎｔ  Ｂｅｙｏｎｄ  ５  Ｃａｒｒｉｅｒｓ」という名称の３ＧＰＰリリース１３作業項目で提案された。この新作業項目の目的は、ＣＡ設定にさらなる柔軟性を与えるようにサポートされるＣＣの量を増加する（最高で３２のＣＣ）ことである。リリース１３におけるＬｉｃｅｎｓｅｄ  Ａｓｓｉｓｔｅｄ  Ａｃｃｅｓｓ（ＬＡＡ）の導入も考慮すると、ライセンス供与されたＣＣおよびライセンスのないＣＣをアグリゲートして、利用可能なオペレータのスペクトルを十分に活用することが可能となる。
【００１０】
同じワイヤレスデバイスに対する一層大きい数のＣＣをアグリゲートする可能性はまた、第１層／第２層（Ｌ１／Ｌ２）制御シグナリング伝送方式のエリアにおいて新しい標準化への尽力を求める。ＰＵＣＣＨに対する典型的なＬ１／Ｌ２制御シグナリング（すなわち、ＨＡＲＱフィードバック、ＣＱＩ／ＰＭＩ／ＲＩ、ＳＲ）は、ＰＣｅｌｌにおいて送られることのみ可能であるという事実から見れば、この新しい「５以上のキャリア」のＣＡ特徴は、ＰＣｅｌｌの負荷の大幅な増加を暗示し、これは、大量のＣＣに対するＰＵＣＣＨリソースを収容することを必要とすることになり、ＰＵＣＣＨ復号化能力の品質全体に影響を与える可能性がある。
【発明の概要】
【００１１】
キャリアに関する制御情報をマッピングするための既存の解決策、システム、および方法による前述の問題に取り組むことが開示される。
【００１２】
ある特定の実施形態によると、キャリアに関する制御情報をマッピングするためのワイヤレスデバイスによる方法が提供される。方法は、ワイヤレスデバイスによって、少なくとも１つのサービングセルと少なくとも１つのＰＵＣＣＨチャネルとの間のマッピングを受信することを含む。該マッピングに基づいて、ＰＵＣＣＨ関連シグナリングが特定のサービングセルに対して送信されることになる特定のＰＵＣＣＨチャネルが決定される。ＰＵＣＣＨ関連シグナリングは特定のＰＵＣＣＨチャネル上で送信される。
【００１３】
ある特定の実施形態によると、キャリアに関する制御情報をマッピングするためのワイヤレスデバイスが提供される。ワイヤレスデバイスは、メモリと、メモリと通信するプロセッサとを含む。プロセッサは、少なくとも１つのサービングセルと少なくとも１つのＰＵＣＣＨチャネルとの間のマッピングを受信する。マッピングはメモリに記憶される。該マッピングに基づいて、ＰＵＣＣＨ関連シグナリングが特定のサービングセルに対して送信されることになる特定のＰＵＣＣＨチャネルが決定される。ＰＵＣＣＨ関連シグナリングは特定のＰＵＣＣＨチャネル上で送信される。
【００１４】
ある特定の実施形態によると、キャリアに関する制御情報をマッピングするためのロジックが提供される。ロジックは、非一時的なコンピュータ可読媒体上に記憶される。ロジックは、少なくとも１つのサービングセルと少なくとも１つのＰＵＣＣＨチャネルとの間のマッピングをプロセッサに受信させるためにプロセッサによって実行される。該マッピングに基づいて、ＰＵＣＣＨ関連シグナリングが特定のサービングセルに対して送信されることになる特定のＰＵＣＣＨチャネルが決定される。ＰＵＣＣＨ関連シグナリングは特定のＰＵＣＣＨチャネル上で送信される。
【００１５】
本開示のある特定の実施形態は、１つまたは複数の技術的利点を提供することができる。例えば、ある特定の実施形態は、ＰＵＣＣＨセカンダリセルを構成するためのさまざまな方法を提供することができる。別の利点は、サービングセルがある特定のサービングセルに対するＰＵＣＣＨ関連シグナリングを伝達する間の柔軟なマッピングを可能にすることとすることができる。さらに別の利点は、シグナリングオーバーヘッドが低いマッピングが確立されることとすることができる。例えば、ある特定の実施形態は、ＰＵＣＣＨがワイヤレスデバイスにおける現在の状況によってサービングセルに対するＰＵＣＣＨ関連シグナリングを伝達する際の変更を可能にすることができる。いくつかの実施形態は、例えば、プライマリＰＵＣＣＨの障害の場合に使用されるパックアップＰＵＣＣＨのアクティブ化および／または非アクティブ化を提供することができる。
【００１６】
他の利点は、当業者に対して容易に明らかとすることができる。ある特定の実施形態は、挙げられる利点について、どれも有さない、いくつかを有する、または全てを有する場合がある。
【００１７】
開示された実施形態、ならびにそれらの特徴および利点をさらに詳しく理解するために、ここで、添付の図面と併せて以下の説明を参照する。
【図面の簡単な説明】
【００１８】
【図１】ある特定の実施形態による、キャリアに関する制御情報をマッピングするための例示のネットワークを示す図である。
【図２】ある特定の実施形態による、キャリアに関する制御情報をマッピングするための例示のワイヤレスデバイスを示す図である。
【図３】ある特定の実施形態による、セカンダリセル上のＰＵＣＣＨの可能な構成を示す図である。
【図４】ある特定の実施形態による、ＰＵＣＣＨセカンダリセル上のＰＵＣＣＨリソースの再構成方式を示す図である。
【図５】ある特定の実施形態による、キャリアに関する制御情報をマッピングするためのワイヤレスデバイスによる例示的な方法を示す図である。
【図６】ある特定の実施形態による、キャリアに関する制御情報をマッピングするためのコンピュータネットワーキング仮想装置の例を示す図である。
【図７】ある特定の実施形態による、キャリアに関する制御情報をマッピングするためのネットワークノードの例を示す図である。
【図８】ある特定の実施形態による、例示の無線ネットワークコントローラまたはコアネットワークノードを示す図である。
【発明を実施するための形態】
【００１９】
最近の提案として、リリース１２において現在必要とされているような、プライマリセル（ＰＣｅｌｌ）への物理アップリンク制御チャネル（ＰＵＣＣＨ）送信を限定しない可能性が考慮されている。よって、ＰＵＣＣＨ関連シグナリングに対するＰＵＣＣＨリソースは、１つまたは複数のセカンダリセル（ＳＣｅｌｌ）に対して提供され、これは、本明細書ではＰＵＣＣＨ−ＳＣｅｌｌと呼ばれる場合がある。しかしながら、ＳＣｅｌｌに対するＰＵＣＣＨリソースの提供を可能にすることは、ＰＵＣＣＨ−ＳＣｅｌｌを構成するためのシグナリング、およびＰＵＣＣＨ−ＳＣｅｌｌにマッピングされるべきサービングセルを必要とする。
【００２０】
本開示の特定の実施形態は、ワイヤレスデバイスによってキャリアに関する制御情報をマッピングすることを可能にする解決策を提供することができる。ある特定の実施形態は、ある特定のＰＵＣＣＨ−ＳＣｅｌｌへの１つまたは複数のサービングセルのマッピングのための機能性を含むことができる。特定の実施形態は、図面の図１〜図８に記載されており、さまざまな図面の同様の部分および対応する部分に対して同様の数字が使用されている。図１は、ある特定の実施形態による、キャリアに関する制御情報をマッピングするためのネットワーク１００の一実施形態を示すブロック図である。ネットワーク１００は、ワイヤレスデバイス１１０またはＵＥ１１０と区別なく呼ばれる場合がある１つまたは複数のワイヤレスデバイス１１０Ａ〜Ｃ、およびネットワークノード１１５またはｅＮｏｄｅＢ１１５と区別なく呼ばれる場合があるネットワークノード１１５Ａ〜Ｃを含む。ワイヤレスデバイス１１０は、ワイヤレスインターフェース上でネットワークノード１１５と通信してよい。例えば、ワイヤレスデバイス１１０Ａは、ワイヤレス信号をネットワークノード１１５の１つまたは複数に送信する、および／または、ワイヤレス信号をネットワークノード１１５の１つまたは複数から受信することができる。ワイヤレス信号は、音声トラフィック、データトラフィック、制御信号、および／または任意の他の適した情報を含有することができる。いくつかの実施形態では、ネットワークノード１１５に関連付けられるワイヤレス信号カバレッジのエリアは、セルと呼ばれてよい。いくつかの実施形態では、ワイヤレスデバイス１１０はＤ２Ｄ能力を有することができる。よって、ワイヤレスデバイス１１０は、別のワイヤレスデバイス１１０に対する信号の受信および／または信号の送信を直接行うことを可能としてよい。例えば、ワイヤレスデバイス１１０Ａは、ワイヤレスデバイス１１０Ｂに対する信号の受信および／または信号の送信を可能としてよい。
【００２１】
ある特定の実施形態では、ネットワークノード１１５は、（図１には描かれない）無線ネットワークコントローラとインターフェース接続することができる。無線ネットワークコントローラは、ネットワークノード１１５を制御することができ、ある特定の無線リソース管理機能、モビリティ管理機能、および／または他の適した機能を提供することができる。ある特定の実施形態では、無線ネットワークコントローラの機能はネットワークノード１１５に含まれてよい。無線ネットワークコントローラはコアネットワークノードとインターフェース接続することができる。ある特定の実施形態では、無線ネットワークコントローラは、相互接続ネットワークを介してコアネットワークノードとインターフェース接続することができる。相互接続ネットワークは、オーディオ、ビデオ、信号、データ、メッセージ、または前述の任意の組み合わせを送信することが可能な任意の相互接続ネットワークを指す場合がある。相互接続ネットワークは、公衆交換電話網（ＰＳＴＮ）、公衆データネットワークもしくはプライベートデータネットワーク、ローカルエリアネットワーク（ＬＡＮ）、メトロポリタンエリアネットワーク（ＭＡＮ）、広域ネットワーク（ＷＡＮ）、ローカル、地域、もしくはグローバル通信、または、インターネット、ワイヤーラインネットワークもしくはワイヤレスネットワーク、企業イントラネット、または任意の他の適した通信リンクなどの、これらの組み合わせを含むコンピュータネットワークの全てまたは一部を含むことができる。
【００２２】
いくつかの実施形態では、コアネットワークノードは、ワイヤレスデバイス１１０について通信セッションおよびさまざまな他の機能性の確立を管理することができる。ワイヤレスデバイス１１０は、非アクセス層を使用してコアネットワークノードとある特定の信号のやりとりをすることができる。非アクセス層シグナリングでは、ワイヤレスデバイス１１０とコアネットワークノードとの間の信号は、無線アクセスネットワークを透過的に通過させることができる。ある特定の実施形態では、ネットワークノード１１５は、ノード間インターフェース上で１つまたは複数のネットワークノードとインターフェース接続することができる。例えば、ネットワークノード１１５Ａおよび１１５ＢはＸ２インターフェース上でインターフェース接続することができる。
【００２３】
上述されるように、ネットワーク１００の実施形態の例は、１つまたは複数のワイヤレスデバイス１１０と、ワイヤレスデバイス１１０と（直接的にまたは間接的に）通信することが可能な１つまたは複数の異なるタイプのネットワークノードとを含むことができる。ワイヤレスデバイス１１０は、ノードとおよび／またはセルラー通信システムまたはモバイル通信システムにおける別のワイヤレスデバイスと通信する任意のタイプのワイヤレスデバイスを指す場合がある。ワイヤレスデバイス１１０の例は、携帯電話、スマートフォン、ＰＤＡ（携帯情報端末）、ポータブルコンピュータ（例えば、ラップトップ、タブレット）、センサ、モデム、マシン型通信（ＭＴＣ）デバイス／マシンツーマシン（Ｍ２Ｍ）デバイス、ラップトップ埋め込み機器（ＬＥＥ）、ラップトップ搭載機器（ＬＭＥ）、ＵＳＢドングル、Ｄ２Ｄ対応デバイス、または、ワイヤレス通信を提供することができる別のデバイスを含む。ワイヤレスデバイス１１０はまた、いくつかの実施形態において、ＵＥ、ステーション（ＳＴＡ）、デバイス、または端末と呼ばれる場合がある。また、いくつかの実施形態では、「無線ネットワークノード」（または単に「ネットワークノード」）という一般的な用語が使用される。この無線ネットワークノードは、Ｎｏｄｅ  Ｂ、基地局（ＢＳ）、ＭＳＲ  ＢＳなどのマルチスタンダード無線（ＭＳＲ）の無線ノード、ｅＮｏｄｅ  Ｂ、ネットワークコントローラ、無線ネットワークコントローラ（ＲＮＣ）、基地局コントローラ（ＢＳＣ）、中継器、ドナーノード制御中継器、基地局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（例えば、ＭＳＣ、ＭＭＥなど）、Ｏ＆Ｍ、ＯＳＳ、ＳＯＮ、ポジショニングノード（例えば、Ｅ−ＳＭＬＣ）、ＭＤＴ、または任意の適したネットワークノードを含むことができる、任意の種類のネットワークノードとすることができる。ネットワークノード１１５、ワイヤレスデバイス１１０、および（無線ネットワークコントローラまたはコアネットワークノードなどの）他のネットワークノードの実施形態の例は、図２、図７、および図８に関してそれぞれより詳細に説明される。
【００２４】
図１は、ネットワーク１００の特定の配置構成を示すが、本開示では、本明細書に説明されるさまざまな実施形態が、任意の適した構成を有するさまざまなネットワークに適用可能であると考えられる。例えば、ネットワーク１００は、任意の適した数のワイヤレスデバイス１１０およびネットワークノード１１５、ならびに、ワイヤレスデバイス間、または、ワイヤレスデバイスと（固定電話などの）別の通信デバイスとの間の通信をサポートするのに適した任意の追加の要素を含むことができる。さらに、ある特定の実施形態がＬｏｎｇ−Ｔｅｒｍ  Ｅｖｏｌｕｔｉｏｎ（ＬＴＥ）ネットワークで実装されるとして説明可能であるが、該実施形態は、任意の適した通信標準をサポートし、かつ、任意の適したコンポーネントを使用する任意の適切なタイプの電気通信システムにおいて実装可能であり、ワイヤレスデバイスが信号（例えばデータ）を受信するおよび／または送信する任意の無線アクセス技術（ＲＡＴ）またはマルチＲＡＴシステムに適用可能である。例えば、本明細書に説明されるさまざまな実施形態は、ＬＴＥ、ＬＴＥ−Ａｄｖａｎｃｅｄ、ＬＴＥ−Ｕ、ＵＭＴＳ、ＨＳＰＡ、ＧＳＭ，ｃｄｍａ２０００、ＷｉＭａｘ、ＷｉＦｉ、別の適した無線アクセス技術、または、１つまたは複数の無線アクセス技術の任意の適した組み合わせに適用可能とすることができる。ある特定の実施形態はダウンリンクのワイヤレス送信の文脈の中で説明可能であるが、本開示では、さまざまな実施形態がアップリンクで等しく適用可能であり、その逆もまた同様であると考えられる。
【００２５】
図２は、ある特定の実施形態による、キャリアに関する制御情報をマッピングするためのワイヤレスデバイス１１０の例を示す。描かれるように、ワイヤレスデバイス１１０は、トランシーバ２１０、プロセッサ２２０、およびメモリ２３０を含む。いくつかの実施形態では、トランシーバ２１０は、（例えば、アンテナを介して）ネットワークノード１１５に対するワイヤレス信号の送信およびワイヤレス信号の受信を容易にし、プロセッサ２２０は、ワイヤレスデバイス１１０によって提供されるような、上述される機能性の一部または全てを提供するための命令を実行し、メモリ２３０は、プロセッサ２２０によって実行される命令を記憶する。ネットワークノード１１５の例は上に示されている。
【００２６】
プロセッサ２２０は、ワイヤレスデバイス１１０の説明される機能の一部または全てを果たすように命令を実行しかつデータを操作するための１つまたは複数のモジュールに実装されるハードウェアおよびソフトウェアの任意の適した組み合わせを含むことができる。いくつかの実施形態では、プロセッサ２２０は、例えば、１つまたは複数のコンピュータ、１つまたは複数の中央処理装置（ＣＰＵ）、１つまたは複数のマイクロプロセッサ、１つまたは複数のアプリケーション、および／または他のロジックを含むことができる。
【００２７】
メモリ２３０は、一般的に、コンピュータプログラム、ソフトウェア、ロジックの１つまたは複数を含むアプリケーション、ルール、アルゴリズム、コード、テーブルなどの命令、および／または、プロセッサによって実行可能である他の命令を記憶するように動作可能である。メモリ２３０の例は、コンピュータメモリ（例えば、ランダムアクセスメモリ（ＲＡＭ）または読み取り専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的コンピュータ可読および／もしくはコンピュータ実行可能メモリデバイスを含む。
【００２８】
ワイヤレスデバイス１１０の他の実施形態は、上述される機能のいずれか、および／または（上述される解決策をサポートするのに必要な任意の機能性を含む）任意の追加の機能性を含む、ワイヤレスデバイスの機能性のある特定の態様を提供することを担う場合がある、図２に示されるもの以外の追加のコンポーネントを含んでよい。
【００２９】
ある特定の実施形態では、ワイヤレスデバイス１１０は、ＰＵＣＣＨ送信のために１つまたは複数のＰＵＣＣＨチャネルで構成されてよい。図３は、ある特定の実施形態による、ＰＵＣＣＨチャネルとしてＳＣｅｌｌ上でＰＵＣＣＨ送信を行うための１つの可能なコンポーネントキャリア（ＣＣ）構成を示す。描かれるように、ＣＣ構成は、グループ３０４Ａ〜Ｃにグループ化される複数のＣＣ３０２Ａ〜Ｘを含む。具体的には、ＣＣ３０２Ａ〜Ｊは第１のグループ３０４Ａに含まれ、ＣＣ３０２Ｋ〜３０２Ｌは第２のグループ３０４Ｂにグループ化され、ＣＣ３０２Ｍ〜Ｘは第３のグループ３０４Ｃにグループ化される。第１のグループ３０４Ａは、ＰＣｅｌｌとして構成される第１のＣＣ３０２Ａ、およびＳＣｅｌｌとして構成されるＣＣ３０２Ｂ〜３０２Ｊを含む。第２のグループ３０４Ｂは、ＰＵＣＣＨ−ＳＣｅｌｌとして構成されるＣＣ３０２Ｋ、およびＳＣｅｌｌとして構成されるＣＣ３０２Ｌを含む。第３のグループ３０４Ｃは、ＰＵＣＣＨ−ＳＣｅｌｌとして構成されるＣＣ３０２Ｍ、およびＳＣｅｌｌとして構成されるＣＣ３０２Ｘを含む。しかしながら、これは、単に１つの構成例であり、キャリア構成３００は任意の適した数のグループ３０４に組織化される任意の適した数のコンポーネントキャリア３０２を含むことができることは認識されたい。
【００３０】
ＰＵＣＣＨ−ＳＣｅｌｌなどのＰＵＣＣＨチャネルは、ワイヤレスデバイス１１０のバッテリ消費を限定するためにアクティブ化および／または非アクティブ化されてよい。例えば、ｅＮＢは、ＰＵＣＣＨ関連シグナリングがある特定のＰＵＣＣＨグループにおいて小さいまたはない時にＰＵＣＣＨ−ＳＣｅｌｌのアクティブ化／非アクティブ化をサポートすることができる。より詳細に後述されるように、これは、ＰＵＣＣＨ構成をＳＣｅｌｌ構成に付加することによって行われてよい。特に、ワイヤレスデバイス１１０は、特定のサービングセルについて、候補ＰＵＣＣＨ−ＳＣｅｌｌの構成に関連しているマッピング情報を受信することができる。例えば、ワイヤレスデバイス１１０は候補ＰＵＣＣＨ−ＳＣｅｌｌに対するサービングセルのマッピングを受信することができる。候補ＰＵＣＣＨ−ＳＣｅｌｌは、ＳＣｅｌｌのグループについてＰＵＣＣＨ−ＳＣｅｌｌとして構成されるべきコンポーネントキャリアを含んでよい。特定の実施形態では、このような情報は、ＲＲＣシグナリングを介して実装可能である、ＰＵＣＣＨリソースによる候補ＰＵＣＣＨ−ＳＣｅｌｌの構成に応答して受信可能である。
【００３１】
図４は、ある特定の実施形態による、ＣＣが、候補ＰＵＣＣＨ−ＳＣｅｌｌとして特定後、ＰＵＣＣＨリソースで再構成される再構成方式４００を示す。描かれるように、初期状態４４０は図３に関して上で論じられるＣＣ構成と同様であるが、２つのグループのみが描かれている。具体的には、ＣＣ構成の初期状態４００は、第１のグループ４０４Ａに含まれるようなＣＣ４０４Ａ−Ｋ、および第２のグループ４０４Ｂにグループ化されるようなＣＣ４０２Ｌ〜Ｘを含む。第１のグループ４０４Ａは、ＰＣｅｌｌとして構成される第１のＣＣ４０２Ａ、および、ＳＣｅｌｌとして構成されるＣＣ４０２Ｂ〜４０２Ｋを含む。第２のグループ４０４Ｂは、ＰＵＣＣＨ−ＳＣｅｌｌとして構成されるようなＣＣ４０２Ｌ、および、ＳＣｅｌｌとして構成されるＣＣ４０２Ｍ〜Ｘを含む。しかしながら、これは、単に１つの構成例であり、再構成方式４００は任意の適した数のグループに組織化される任意の適した数のコンポーネントキャリアを含むことができることは認識されたい。
【００３２】
ＣＣ４０２ＬはＰＵＣＣＨ−ＳＣｅｌｌとして構成されるが、ＣＣ４０２Ｘは候補ＰＵＣＣＨ−ＳＣｅｌｌとして特定されている。そのように、ＰＵＣＣＨ−ＳＣｅｌｌとしてＣＣ４０２Ｌにマッピングされたサービングセルは、部分変更状態４５０で示されるように候補ＰＵＣＣＨ−ＳＣｅｌｌに再マッピングされてよい。候補ＰＵＣＣＨ−ＳＣｅｌｌがＰＵＣＣＨ−ＳＣｅｌｌとして構成され、古いＰＵＣＣＨ−ＳＣｅｌｌにマッピングされたサービングセルが新しいＰＵＣＣＨ−ＳＣｅｌｌに再マッピングされる、可能なアプリケーションシナリオが図４に描かれる。特定の実施形態では、ＲＲＣシグナリングは、それぞれのサービングセルについて、ＰＵＣＣＨ−ＳＣｅｌｌがＰＵＣＣＨ送信のためにＰＵＣＣＨリソースで構成されることを示す。本明細書で使用されるようなＰＵＣＣＨ送信という用語は、通常は、ＨＡＲＱ−フィードバックなどのＰＵＣＣＨ、チャネル品質情報（ＣＱＩ）／プリコーディングマトリクスインジケータ（ＰＭＩ）／ランクインジケータなどのチャネル状態情報（ＣＳＩ）、および／またはスケジューリングリクエスト（ＳＲ）で送られる信号およびメッセージの送信を指す。
【００３３】
ある特定の実施形態では、ＰＵＣＣＨ−ＳＣｅｌｌのマッピングは、サービングセルについて、このセルに関連付けられたアップリンク制御シグナリングがどのＰＵＣＣＨで送られるべきであるかを示すためのインジケータとして信号送信可能である。特定の実施形態では、インジケータは、特定のセルに対するセルインデックスを含むことができる。このような実施形態では、このインジケーションは、示されたセルのＰＵＣＣＨを指す場合がある。
【００３４】
ＣＣに関する制御情報のマッピングを提供するためのシグナリング解決策は、例えば、拡張付加グループなどの専用の物理チャネル構成情報要素に付加されるべきＰＵＣＣＨおよびそれらの構成の１つまたは複数のリストを必要とする。ある特定の実施形態では、該リストはＰＵＣＣＨ構成を規定する。リストにおける項目の数は、一定のｍａｘＣｅｌｌＭｅａｓによるＥＵＴＲＡ  ＲＲＣプロトコルについて規定されるようなセルインデックスの最大数によって限定される。さらに、リスト上のＰＵＣＣＨを付加しかつ部分変更するための機構が提供される。特定の実施形態では、例えば、以下のフィールドは、専用の物理チャネル構成情報要素において付加されるものとする。
[[   pucch-List-r13   PUCCH-ToAddModList-r13   OPTIONAL,   --Need ON
pucch-List-r13      PUCCH-ToReleaseList-r13   OPTIONAL,   --Need ON
]]
ＰＵＣＣＨ構成の部分変更および付加は新しい情報要素定義を必要とする場合がある。例えば、新しい情報要素定義は、ＰＵＣＣＨ構成リリースについてのｍａｘＣｅｌｌＭｅａｓのサイズによるセルインデックスのリストを含むことができる。別の例として、新しい情報要素定義は、現実化される実際のＰＵＣＣＨ構成を含有する別のリストを含むことができる。特定の実施形態では、ＰＵＣＣＨ−ＣｏｎｆｉｇＤｅｄｉｃａｔｅｄ情報要素およびこの拡張への言及は、情報要素の−ｒ１３バージョンと呼ばれる場合がある。
PUCCH-ToReleaseList-r13 ::=    SEQUENCE (SIZE (1..maxCellMeas)) OF Cell Index
PUCCH-ToAddModList-r13 ::= SEQUENCE (SIZE (1..maxCellMeas)) OF PUCCH-ConfigDedicated-r13
【００３５】
ある特定の実施形態では、セルとＰＵＣＣＨとの間のマッピングは、インジケータが、ＰｈｙｓｉｃａｌＣｏｎｆｉｇＤｅｄｉｃａｔｅｄＳＣｅｌｌ−ｒ１０情報要素を拡張することによってＲＲＣプロトコルに付加されることを必要とする場合がある。該情報要素を拡張するための１つの可能なやり方は、セルインデックス情報要素を参照する任意選択のプロトコルフィールドを含有する拡張付加グループを付加することであってよい。マッピングのリリースおよび部分変更をサポートするために、プロトコル仕様規約に従ったフィールドのセットアップおよびリリースに対する選択コンストラクトが必要とされる場合がある。
PUCCH-Cell-r13 ::= CHOICE {
release               NULL,
setup               SCellIndex-r10
}                        OPTIONAL     -- Need ON
ＰＵＣＣＨ−Ｃｅｌｌ−ｒ１３は、ここで提供されるように、このＳＣｅｌｌに関連付けられるアップリンク制御シグナリングはどのＰＵＣＣＨで送られるべきであるかを示す。インジケータは、示されたセルのＰＵＣＣＨを参照するセルインデックスを含有する。
【００３６】
ある特定の他の実施形態では、インジケータを信号送信する別のやり方は、最初にインデックスまたは識別子をそれぞれのＰＵＣＣＨに与えることを含むことができる。異なって明記されるように、それぞれのＰＵＣＣＨチャネルはそれ自体、インデックスまたは識別子を与えられてよい。そして、サービングセルごとのインジケータは、セルが使用すべきＰＵＣＣＨに対するインデックスまたは識別子とすることができる。この解決策は、専用物理チャネル構成情報要素における２つのリストを必要とする場合がある。先に説明されたシグナリング方式との比較による差異は、セルインデックスの代わりにＰＵＣＣＨ識別がマッピングに使用されることである。リストに対する拡張フィールドは以下のように規定される。
pucch-List-r13      PUCCH-ToAddModList-r13    OPTIONAL,   --Need ON
pucch-List-r13      PUCCH-ToReleaseList-r13   OPTIONAL,   --Need ON
さらに、リスト部分変更および付加についての情報要素は、以下のようにＰＵＣＣＨ識別を利用する。
PUCCH-ToReleaseList ::=    SEQUENCE (SIZE (1..maxPUCCHs)) OF PUCCH-Identity-r13
PUCCH-ToAddModList ::= SEQUENCE (SIZE (1..maxPUCCHs)) OF PUCCH-ConfigDedicated-r13
PUCCH-Identity-r13 ::=      INTEGER (1 .. maxPUCCHIds)
上で提供される最大ＰＵＣＣＨＩｄは、ＰＵＣＣＨの最大数、ひいては、リストの最大サイズも限定する定数であってよい。
【００３７】
要約すれば、本明細書に説明されるある特定の実施形態によると、ＰＵＣＣＨ−ｔｏＡｄｄＭｏｄＬｉｓｔにおけるそれぞれの要素は、ＰＵＣＣＨ−Ｉｄｅｎｔｉｔｙ情報要素によって規定される一意のＰＵＣＣＨ構成であってよい。それぞれの構成に対するＰＵＣＣＨ−ｉｄｅｎｔｉｔｙは、ＰＵＣＣＨ−ＣｏｎｆｉｇＤｅｄｉｃａｔｅｄ−ｒ１３情報要素に付加されてよく、該情報は、その他の場合、レガシＰＵＣＣＨ構成と同じ内容を有するものとする。先に説明されたように、ＰＵＣＣＨ−ＣｏｎｆｉｇＤｅｄｉｃａｔｅｄ−ｒ１３情報要素は、現在のＰＵＣＣＨ−ＣｏｎｆｉｇＤｅｄｉｃａｔｅｄ情報要素で構成されてよく、これまでの全ての拡張を含むことができる。これには、ＰＵＣＣＨ−ＣｏｎｆｉｇＤｅｄｉｃａｔｅｄ情報要素をリリース１３バージョンにアップグレードする必要がある場合がある。
【００３８】
ある特定の他の実施形態では、マッピングは、特定のＰＵＣＣＨチャネルについて、ＰＵＣＣＨ関連シグナリングが特定のＰＵＣＣＨチャネル上で送信される任意のサービングセルのインジケーションを含むことができる。よって、ＲＲＣシグナリングは、それぞれのＰＵＣＣＨについて、ＰＵＣＣＨ送信がこのＰＵＣＣＨ−ＳＣｅｌｌ上で送られるべきであるサービングセルを示すことができる。これは、ＰＵＣＣＨに対して信号送信されるインジケータのセットとして実装されてよい。特定の実施形態では、インジケータは、ＰＵＣＣＨに対するリストまたはシーケンスを含むことができ、それぞれのインジケータは、ワイヤレスデバイスがこのＰＵＣＣＨ上でアップリンク制御シグナリングを送るものとするサービングセルを指すことができる。特定の実施形態では、インジケータはセルインデックスとすることができる。
【００３９】
ある特定の他の実施形態では、マッピングは、特定のサービングセルに対するインジケーションを含まない場合がある。このようなインジケーションがない場合、ワイヤレスデバイス１１０は、デフォルトのＰＵＣＣＨチャネル上でＰＵＣＣＨ関連シグナリングを送信するように構成されてよい。例えば、ワイヤレスデバイス１１０は、サービングセルと少なくとも１つのＰＵＣＣＨチャネルとの間のマッピングが受信されていないと決定することができる。マッピングが受信されていないことに基づいて、ワイヤレスデバイス１１０は、特定のサービングセルに対してＰＵＣＣＨ関連シグナリングが送信される特定のＰＵＣＣＨチャネルを決定することができる。ワイヤレスデバイス１１０は、次いで、デフォルトのＰＵＣＣＨチャネル上でＰＵＣＣＨ関連シグナリングを送信することができる。よって、ＰＵＣＣＨ制御シグナリングは、デフォルトにより、ＰＵＣＣＨ−ＳＣｅｌｌ自体にマッピングされてよい。この実施形態は、２つのエントリによってなお別の選択コンストラクトを付加することによって特定のＰＵＣＣＨ−ＳＣｅｌｌの特定のサービングセルに対するインジケーションをマッピングが含んだ場合の先に説明した実施形態の最適化として理解可能である。新しいコンストラクトの第１のエントリはデフォルトマッピングを示すことができ、第２のエントリはセルインデックスを示すことができる。このようなシナリオでは、フィールド形式は以下のように書き換えられてよい。
pucch-Cell-r13            CHOICE {
release                  NULL,
setup                  CHOICE {
defaultMapping            NULL,
perServingCellMapping         SCellIndex-r10
}
}                        OPTIONAL   --Need ON   
【００４０】
ある特定の他の実施形態では、少なくとも１つのサービングセルとＰＵＣＣＨチャネルとの間のマッピングは、ＰＵＣＣＨ関連シグナリングのサブセットに適用可能であってよい。場合によって、種々のタイプのアップリンク制御情報を種々のサービングセルの方へマッピングすることが有益である場合がある。例えば、ＨＡＲＱ送信を１つのセルにマッピングする一方で、ＣＳＩフィードバックを別のセルの方へマッピングすることが有益である場合がある。ＵＥが、ライセンス供与されたスペクトルにおけるＰＵＣＣＨによる１つのサービングセル、および、ライセンスのないスペクトルにおけるＰＵＣＣＨによる別のサービングセルで構成されるシナリオについて検討する。ＨＡＲＱフィードバックは、よりタイムクリティカルであると考えられ得るため、ライセンス供与されたスペクトルにおいてサービングセルにマッピングされることが可能であるが、これは、ライセンス供与されたキャリアの遅延がより低いと考えられるからである。ＣＳＩは、それほどタイムクリティカルでないと考えられ得るためライセンスのないキャリアにマッピングされてよく、さらに、ＣＳＩは、ＨＡＲＱフィードバックと比較すると大きいためより多くのリソースを要する。そのため、ネットワークは、これらをライセンスのないキャリアにマッピングしてライセンス供与されたキャリアに対する過負荷が生じないようにすることが好ましい場合がある。
【００４１】
ある特定の他の実施形態では、マッピングはバックアップマッピングを含むことができる。例えば、バックアップＰＵＣＣＨリソースは１つまたは複数のサービングセルに対して構成されてよい。よって、プライマリＰＵＣＣＨチャネルにマッピングされるのに加えて、サービングセルはまた、１つまたは複数のバックアップＰＵＣＣＨチャネルにマッピングされてよい。より具体的には、サービングセルは、プライマリＰＵＣＣＨ−Ｓｃｅｌｌおよび１つまたは複数のバックアップＰＵＣＣＨ−ＳＣｅｌｌにマッピングされてよい。バックアップＰＵＣＣＨチャネルは、ＰＵＣＣＨ送信のために構成されるが、デフォルトによるＰＵＣＣＨ送信には使用されない。特定の実施形態では、例えば、ネットワークノード１１５は、ワイヤレスデバイス１１０に、少なくとも１つのサービングセルに対する可能なバックアップＰＵＣＣＨチャネルのリストを与えることができる。複数のバックアップＰＵＣＣＨチャネルが提供される場合、バックアップＰＵＣＣＨチャネルは優先順位でリスト化されてよい。特定の実施形態では、バックアップＰＵＣＣＨチャネルの優先順位は、セル電波伝搬条件に基づいてセル計画中にオペレータによって静的に設定可能である。優先順位は、ワイヤレスデバイス１１０間のセルリソースの公正な共有を徹底するように選択可能である。
【００４２】
例えば、プライマリＰＵＣＣＨチャネルがマッピングされる特定のサービングセルに対して利用不可能になる場合、サービングセルに対するＰＵＣＣＨ送信は、ネットワーク性能に影響を与えることなく、バックアップＰＵＣＣＨリソースに移動可能である。よって、ＰＵＣＣＨチャネルが関連付けられたアライメントタイマの満了または停止によって利用不可能になる場合、または、ＰＵＣＣＨ−ＳＣｅｌｌが非アクティブ化される場合、ＰＵＣＣＨ送信はバックアップＰＵＣＣＨ−ＳＣｅｌｌに移動させることができる。ネットワークノード１１５は、プライマリＰＵＣＣＨチャネルが利用不可能になりかつこのチャネルを構成解除したと決定することができる。
【００４３】
ある特定の実施形態では、ワイヤレスデバイス１１０は、バックアップＰＵＣＣＨ上でのＰＵＣＣＨ送信を開始する前に、優先順位付けリストからバックアップＰＵＣＣＨチャネルを選択することができる。この選択は特定のサービングセルに対して行われてよい。さらに、ワイヤレスデバイス１１０は、選択されたバックアップＰＵＣＣＨチャネルが選択前に利用可能であることを徹底することができる。バックアップＰＵＣＣＨチャネルは、非活動状態である、および／または、タイムアライメントタイマが満了している場合に利用不可能であってよい。
【００４４】
さらに他のある特定の実施形態では、ネットワークノード１１５は、専用のＭＡＣ  ＣＥコマンドを介してＰＵＣＣＨチャネルにおけるＰＵＣＣＨリソースの利用を要求することができる。専用のＭＡＣ  ＣＥコマンドは、そのサービングセルにおけるＰＵＣＣＨ送信のためにＰＵＣＣＨチャネルをアクティブ化するまたは非アクティブ化するためだけに使用されてよい。ネットワークノード１１５が、悪い無線品質測定値、データレートの低減、または輻輳制御ポリシなどに起因して、ＰＵＣＣＨチャネルを非アクティブ化すると決定する場合、一般に、ワイヤレスデバイス１１０は、現在アクティブである最も高い優先順位のバックアップＰＵＣＣＨチャネルを使用して開始することができる。
【００４５】
特定の実施形態では、例えば、バックアップＰＵＣＣＨチャネルは、バックアップＰＵＣＣＨチャネルが非アクティブ化されるまたは構成解除されるまで、使用可能である。よって、ワイヤレスデバイス１１０は、プライマリＰＵＣＣＨチャネルまたはより高い優先順位のバックアップチャネルがアクティブ化される場合でも、現在の構成済みバックアップＰＵＣＣＨチャネルを使用することができる。これによって、種々のセル間のＰＵＣＣＨ送信の移動から生じるいずれのピンポン現象も回避することができる。
【００４６】
別の特定の実施形態では、ワイヤレスデバイス１１０は、プライマリＰＵＣＣＨチャネルが再アクティブ化される時、プライマリＰＵＣＣＨチャネルの使用に戻すように切り換えることができる。代替的には、ワイヤレスデバイス１１０は、より高い優先順位のバックアップＰＵＣＣＨチャネルが再アクティブ化される時、より高い優先順位のバックアップＰＵＣＣＨチャネルに切り換えてよい。
【００４７】
このような実施形態によって提供される利点は、ネットワークノード１１５がＰＵＣＣＨチャネルおよび対応するサービングセルマッピングを再構成するためにＲＲＣシグナリングを送ることを回避できることとすることが可能であるが、これは、ＲＲＣシグナリングがネットワークノード１１５およびワイヤレスデバイス１１０両方においてより多くの処理時間を必要とし、かつ場合によっては待ち時間に影響する可能性があるからである。このように、ネットワークノード１１５は、実際のＰＵＣＣＨ送信に現在使用されているバックアップＰＵＣＣＨリソースの制御下に置かれたままであってよい。従って、ネットワークノード１１５は、場合によっては、ＰＵＣＣＨ送信に現在使用されていないバックアップＰＵＣＣＨリソースを使用するためにワイヤレスデバイスをスケジューリングすることができる。
【００４８】
ある特定の実施形態では、サービングセルは、対応するＰＵＣＣＨ制御シグナリングを適正に受信するために、少なくとも１つのＰＵＣＣＨチャネルにマッピングされてよい。さらに、単一のサービングセルに対して、ＨＡＲＱフィードバックは、１つのＰＵＣＣＨチャネル（すなわち、第１のＰＵＣＣＨ−ＳＣｅｌｌ）にマッピングされてよく、ＣＳＩ報告は、別のＰＵＣＣＨチャネル（すなわち、第２のＰＵＣＣＨ−ＳＣｅｌｌ）にマッピングされる。それ故に、特定の実施形態では、サービングセルに対するＨＡＲＱフィードバックおよびＣＳＩ報告は、１つのおよびただ１つのＰＵＣＣＨチャネル（すなわち、共通のＰＵＣＣＨ−ＳＣｅｌｌ）にマッピングされてよい。特定的なＰＵＣＣＨマッピングがワイヤレスデバイス１１０によって受信されない場合、サービングセルに対するＨＡＲＱフィードバックおよびＣＳＩ報告は、ＰＣｅｌｌのＰＵＣＣＨチャネル上にマッピングされてよい。代替的には、ＰＵＣＣＨ−ＳＣｅｌｌのＨＡＲＱフィードバックおよびＣＳＩは、特定のＰＵＣＣＨ−ＳＣｅｌｌ上で送られてよい。
【００４９】
図５は、ある特定の実施形態による、キャリアに関する制御情報をマッピングするためのワイヤレスデバイス１１０による例示的な方法５００を示す。方法５００は、ワイヤレスデバイスが少なくとも１つのサービングセルと少なくとも１つのＰＵＣＣＨチャネルとの間のマッピングを受信する時にステップ５０２で始める。
【００５０】
ステップ５０４において、特定のサービングセルに対してＰＵＣＣＨ関連シグナリングが送信される特定のＰＵＣＣＨチャネルが決定される。特定の実施形態では、ステップ５０２で受信されたマッピングは、ＰＵＣＣＨ関連シグナリングが送信される特定のＰＵＣＣＨチャネルの特定のサービングセルについてのインジケーションを含むことができる。ワイヤレスデバイス１１０は、次いで、ＰＵＣＣＨ関連シグナリングに対する特定のＰＵＣＣＨチャネルを選択すると決定することができる。他の実施形態では、マッピングは、特定のＰＵＣＣＨチャネル上でＰＵＣＣＨ関連シグナリングを送信するべきである任意のサービングセルを特定する特定のＰＵＣＣＨチャネルについてのインジケーションを含むことができる。ワイヤレスデバイス１１０は、その後、ＰＵＣＣＨ関連送信のためにサービングセルに対する特定のＰＵＣＣＨチャネルを選択することができる。
【００５１】
さらに他の実施形態では、マッピングは、特定のサービングセルまたは特定のＰＵＣＣＨチャネルについてのインジケーションを含まなくてよく、ワイヤレスデバイス１１０は、ＰＵＣＣＨチャネルに対してデフォルトのＰＵＣＣＨチャネルを選択してよい。さらに、ある特定の実施形態では、決定されたＰＵＣＣＨチャネルは、ＰＵＣＣＨ関連シグナリングのサブセットのみに対して選択されてよい。例えば、１つのＰＵＣＣＨ−ＳＣｅｌｌはＣＳＩに対して選択されてよく、もう１つのＰＵＣＣＨ−ＳＣｅｌｌはＨＡＲＱフィードバックに対して選択される。
【００５２】
さらに他の実施形態では、ＰＵＣＣＨ関連シグナリングに対する特定のＰＵＣＣＨチャネルを決定することは、第１のＰＵＣＣＨチャネルが利用不可能になっていると決定することと、その代わりに使用されるべきバックアップＰＵＣＣＨチャネルを選択することとを含むことができる。さらに他の実施形態では、マッピングは、特定のＰＵＣＣＨチャネルがワイヤレスデバイスによって使用されないことを示すＭＡＣ  ＣＥを含むことができる。そのように、ワイヤレスデバイス１１０は、バックアップＰＵＣＣＨチャネルとしての選択のために代替的なセルを決定することができる。
【００５３】
ステップ５０６では、ＰＵＣＣＨ関連シグナリングは、ステップ５０４で決定された特定のＰＵＣＣＨチャネル上で送信される。
【００５４】
ある特定の実施形態では、上述されるようなキャリアに関する制御情報をマッピングするための方法は、コンピュータネットワーキング仮想装置によって行われてよい。図６は、ある特定の実施形態による、キャリアに関する制御情報をマッピングするためのコンピュータネットワーキング仮想装置６００の例を示す。ある特定の実施形態では、コンピュータネットワーキング仮想装置６００は、図５において示されかつ説明される方法に関して上述されるものと同様のステップを行うためのモジュール含むことができる。例えば、コンピュータネットワーキング仮想装置６００は、受信モジュール６１０、決定モジュール６２０、送信モジュール６３０、およびキャリアに関する制御情報をマッピングするための任意の他の適したモジュールを含むことができる。いくつかの実施形態では、モジュールの１つまたは複数は、図５の１つまたは複数のプロセッサ５２０を使用して実装されてよい。ある特定の実施形態では、さまざまなモジュールの２つ以上の機能は、単一のモジュールに組み合わせられてよい。
【００５５】
受信モジュール６１０は、コンピュータネットワーキング仮想装置６００の受信機能を果たすことができる。例えば、受信モジュール６１０は、少なくとも１つのサービングセルと少なくとも１つのＰＵＣＣＨチャネルとの間のマッピングを受信することができる。
【００５６】
決定モジュール６２０は、コンピュータネットワーキング仮想装置６００の決定機能を果たすことができる。例えば、決定モジュール６２０は、ＰＵＣＣＨ関連シグナリングが特定のサービングセルに対して送信されることになる特定のＰＵＣＣＨチャネルを決定することができる。特定の実施形態では、マッピングは、ＰＵＣＣＨ関連シグナリングが送信される特定のＰＵＣＣＨチャネルの特定のサービングセルについてのインジケーションを含むことができる。そのように、決定モジュール６２０は、特定のＰＵＣＣＨチャネルがＰＵＣＣＨ関連シグナリングに対して使用されるべきであると決定することができる。他の実施形態では、マッピングは、特定のＰＵＣＣＨチャネル上でＰＵＣＣＨ関連シグナリングを送信するべきである任意のサービングセルを特定する特定のＰＵＣＣＨチャネルについてのインジケーションを含むことができる。決定モジュール６２０は、その後、特定のＰＵＣＣＨチャネルがサービングセルに対するＰＵＣＣＨ関連送信のために使用されるべきであると決定することができる。
【００５７】
送信モジュール６３０は、コンピュータネットワーキング仮想装置６００の送信機能を果たすことができる。例えば、送信モジュール６３０は、決定モジュール６２０によって決定された特定のＰＵＣＣＨチャネル上でＰＵＣＣＨ関連シグナリングを送信することができる。
【００５８】
コンピュータネットワーキング仮想装置６００の他の実施形態は、図６に示されるもの以外に、（上述される解決策をサポートするために必要な任意の機能性を含む）上述される機能性および／または任意の追加の機能性のいずれかを含む、ワイヤレスデバイス１１０の機能性のある特定の態様を提供することを担う場合がある、追加のコンポーネントを含むことができる。さまざまな異なるタイプのワイヤレスデバイス１１０は、同じ物理ハードウェアを有するが（例えばプログラミングによって）異なる無線アクセス技術をサポートするように構成されるコンポーネントを含むことができる、または、異なる物理コンポーネントを部分的にまたは全て表すことができる。
【００５９】
図７は、ある特定の実施形態によるネットワークノード１１５の例を示す。セカンダリセル上のＰＵＣＣＨリソースの初期構成をサポートするのに加えて、ネットワークノード１１５は、上述されるように、ＰＵＣＣＨチャネルのアクティブ化および非アクティブ化をサポートすることができる。
【００６０】
ネットワークノード１１５は、ワイヤレスデバイスおよび／または別のネットワークノードと通信する任意のタイプの無線ネットワークノードまたは任意のネットワークノードであってよい。ネットワークノード１１５の例は上に示されている。ネットワークノード１１５は、ホモジニアス配置、ヘテロジニアス配置、または混合配置として、ネットワーク１００全体を通して配置されてよい。ホモジニアス配置は、一般的に、同じ（または同様の）タイプのネットワークノード１１５および／または同様のカバレッジ、ならびに、セルサイズおよびサイト間距離で構成されている配置として説明可能である。ヘテロジニアス配置は、一般的に、種々のセルサイズ、送信電力、容量、およびサイト間距離を有するさまざまなタイプのネットワークノード１１５を使用する配置として説明可能である。例えば、ヘテロジニアス配置は、マクロセルレイアウト全体を通して設置される複数の低電力ノードを含むことができる。混合配置は、ホモジニアス部分およびヘテロジニアス部分の混合を含むことができる。
【００６１】
ネットワークノード１１５は、トランシーバ７１０、プロセッサ７２０、メモリ７３０、およびネットワークインターフェース７４０の１つまたは複数を含んでよい。いくつかの実施形態では、トランシーバ７１０は、（例えばアンテナを介して）ワイヤレスデバイス１１０に対する無線信号の送信および受信を容易にし、プロセッサ７２０は、ネットワークノード１１５によって提供されるような上述される機能性の一部または全てを提供するための命令を実行し、メモリ７３０は、プロセッサ７２０によって実行される命令を記憶し、ネットワークインターフェース７４０は、ゲートウェイ、スイッチ、ルータ、インターネット、公衆交換電話網（ＰＳＴＮ）、コアネットワークノード、または無線ネットワークコントローラといった、バックエンドネットワークコンポーネントに対して信号を通信する。
【００６２】
ある特定の実施形態では、ネットワークノード１１５は、マルチアンテナ技法を使用可能とすることができ、複数のアンテナを装備でき、ＭＩＭＯ技法をサポート可能とすることができる。１つまたは複数のアンテナでは、偏波が制御可能である。換言すれば、それぞれの要素は、種々の偏波（例えば、交差偏波などの９０度の分離）を有する２つの共同設置される部分要素を有することができ、それによって、ビーム形成荷重の種々のセットによって放出波は種々の偏波になる。
【００６３】
プロセッサ７２０は、ネットワークノード１１５の説明される機能の一部または全てを果たすように、命令を実行しかつデータを操作するために、１つまたは複数のモジュールに実装されるハードウェアおよびソフトウェアの任意の適した組み合わせを含むことができる。いくつかの実施形態では、プロセッサ７２０は、例えば、１つまたは複数のコンピュータ、１つまたは複数の中央処理装置（ＣＰＵ）、１つまたは複数のマイクロプロセッサ、１つまたは複数のアプリケーション、および／または他のロジックを含むことができる。
【００６４】
メモリ７３０は、一般的に、コンピュータプログラム、ソフトウェア、ロジックの１つまたは複数を含むアプリケーション、ルール、アルゴリズム、コード、テーブルなどの命令、および／または、プロセッサによって実行可能である他の命令を記憶するように動作可能である。メモリ７３０の例は、コンピュータメモリ（例えば、ランダムアクセスメモリ（ＲＡＭ）または読み取り専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的コンピュータ可読および／もしくはコンピュータ実行可能メモリデバイスを含む。
【００６５】
いくつかの実施形態では、ネットワークインターフェース７４０は、プロセッサ７２０に通信可能に結合され、ネットワークノード１１５に対する入力を受信する、ネットワークノード１１５からの出力を送る、入力、出力、またはこの両方の適した処理を行う、他のデバイスに通信する、または、前述の任意の組み合わせを行うように動作可能である任意の適したデバイスを指すことができる。ネットワークインターフェース７４０は、適切なハードウェア（例えば、ポート、モデム、ネットワークインターフェースカードなど）、および、ネットワークを通して通信するための、プロトコル変換およびデータ処理能力を含むソフトウェアを含むことができる。
【００６６】
ネットワークノード１１５の他の実施形態は、図７に示されるもの以外に、（上述される解決策をサポートするために必要な任意の機能性を含む）上述される機能性および／または任意の追加の機能性のいずれかを含む、無線ネットワークノードの機能性のある特定の態様を提供することを担う場合がある、追加のコンポーネントを含むことができる。さまざまな異なるタイプのネットワークノードは、同じ物理ハードウェアを有するが（例えばプログラミングによって）異なる無線アクセス技術をサポートするように構成されるコンポーネントを含むことができる、または、異なる物理コンポーネントを部分的にまたは全て表すことができる。さらに、第１のおよび第２のといった用語は、例示の目的のためだけに示され、入れ替え可能である。
【００６７】
図８は、ある特定の実施形態による、例示の無線ネットワークコントローラまたはコアネットワークノードを示す。ネットワークノードの例は、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、および基地局コントローラ（ＢＳＣ）などを含むことができる。無線ネットワークコントローラまたはコアネットワークノード８００は、プロセッサ８２０、メモリ８３０、およびネットワークインターフェース８４０を含む。いくつかの実施形態では、プロセッサ８２０は、ネットワークノードによって提供されるような、上述される機能性の一部または全てを提供するための命令を実行し、メモリ８３０は、プロセッサ８２０によって実行される命令を記憶し、ネットワークインターフェース８４０は、ゲートウェイ、スイッチ、ルータ、インターネット、公衆交換電話網（ＰＳＴＮ）、ネットワークノード１１５、無線ネットワークコントローラまたはコアネットワークノード８００といった、任意の適したノードに対して信号を通信する。
【００６８】
プロセッサ８２０は、無線ネットワークコントローラまたはコアネットワークノード８００の説明される機能の一部または全てを果たすように命令を実行しかつデータを操作するために１つまたは複数のモジュールに実装されるハードウェアおよびソフトウェアの任意の適した組み合わせを含むことができる。いくつかの実施形態では、プロセッサ８２０は、例えば、１つまたは複数のコンピュータ、１つまたは複数の中央処理装置（ＣＰＵ）、１つまたは複数のマイクロプロセッサ、１つまたは複数のアプリケーション、および／または他のロジックを含むことができる。
【００６９】
メモリ８３０は、一般的に、コンピュータプログラム、ソフトウェア、ロジックの１つまたは複数を含むアプリケーション、ルール、アルゴリズム、コード、テーブルなどの命令、および／または、プロセッサによって実行可能である他の命令を記憶するように動作可能である。メモリ８３０の例は、コンピュータメモリ（例えば、ランダムアクセスメモリ（ＲＡＭ）または読み取り専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的コンピュータ可読および／もしくはコンピュータ実行可能メモリデバイスを含む。
【００７０】
いくつかの実施形態では、ネットワークインターフェース８４０は、プロセッサ８２０に通信可能に結合され、ネットワークノードに対する入力を受信する、ネットワークノードからの出力を送る、入力、出力、またはこの両方の適した処理を行う、他のデバイスに通信する、または、前述の任意の組み合わせを行うように動作可能である任意の適したデバイスを指すことができる。ネットワークインターフェース８４０は、適切なハードウェア（例えば、ポート、モデム、ネットワークインターフェースカードなど）、および、ネットワークを通して通信するための、プロトコル変換およびデータ処理能力を含むソフトウェアを含むことができる。
【００７１】
ネットワークノードの他の実施形態は、図８に示されるもの以外に、（上述される解決策をサポートするために必要な任意の機能性を含む）上述される機能性および／または任意の追加の機能性のいずれかを含む、ネットワークノードの機能性のある特定の態様を提供することを担う場合がある、追加のコンポーネントを含むことができる。
【００７２】
ある特定の実施形態によると、キャリアに関する制御情報をマッピングするための、ワイヤレスデバイスによる方法が提供される。方法は、ワイヤレスデバイスによって、少なくとも１つのサービングセルと少なくとも１つのＰＵＣＣＨチャネルとの間のマッピングを受信することを含む。該マッピングに基づいて、ＰＵＣＣＨ関連シグナリングが特定のサービングセルに対して送信されることになる特定のＰＵＣＣＨチャネルが決定される。ＰＵＣＣＨ関連シグナリングは特定のＰＵＣＣＨチャネル上で送信される。
【００７３】
ある特定の実施形態によると、キャリアに関する制御情報をマッピングするためのワイヤレスデバイスが提供される。ワイヤレスデバイスは、メモリと、メモリと通信するプロセッサとを含む。プロセッサは、少なくとも１つのサービングセルと少なくとも１つのＰＵＣＣＨチャネルとの間のマッピングを受信する。マッピングはメモリに記憶される。該マッピングに基づいて、ＰＵＣＣＨ関連シグナリングが特定のサービングセルに対して送信されることになる特定のＰＵＣＣＨチャネルが決定される。ＰＵＣＣＨ関連シグナリングは特定のＰＵＣＣＨチャネル上で送信される。
【００７４】
ある特定の実施形態によると、キャリアに関する制御情報をマッピングするためのロジックが提供される。ロジックは、非一時的なコンピュータ可読媒体上に記憶される。ロジックは、少なくとも１つのサービングセルと少なくとも１つのＰＵＣＣＨチャネルとの間のマッピングをプロセッサに受信させるために、プロセッサによって実行される。該マッピングに基づいて、ＰＵＣＣＨ関連シグナリングが特定のサービングセルに対して送信されることになる特定のＰＵＣＣＨチャネルが決定される。ＰＵＣＣＨ関連シグナリングは特定のＰＵＣＣＨチャネル上で送信される。
【００７５】
本開示のある特定の実施形態は、１つまたは複数の技術的利点を提供することができる。例えば、ある特定の実施形態は、ＰＵＣＣＨセカンダリセルを構成するためのさまざまな方法を提供することができる。別の利点は、サービングセルがある特定のサービングセルに対するＰＵＣＣＨ関連シグナリングを伝達する間の柔軟なマッピングを可能にすることとすることができる。さらに別の利点は、シグナリングオーバーヘッドが低いマッピングが確立されることとすることができる。例えば、ある特定の実施形態は、ＰＵＣＣＨがワイヤレスデバイスにおける現在の状況によってサービングセルに対するＰＵＣＣＨ関連シグナリングを伝達する際の変更を可能にすることができる。いくつかの実施形態は、例えば、プライマリＰＵＣＣＨの障害の場合に使用されるパックアップＰＵＣＣＨのアクティブ化および／または非アクティブ化を提供することができる。本開示の範囲から逸脱することなく、本明細書に説明されるシステムおよび装置に対して、修正、追加、または省略が行われてよい。システムおよび装置のコンポーネントは、一体化または分離可能である。また、システムおよび装置の動作は、より多くの、より少ない、または他のコンポーネントによって行われてよい。さらに、システムおよび装置の動作は、ソフトウェア、ハードウェア、および／または他のロジックを含む任意の適したロジックを使用して行われてよい。本明細書において使用されるように、「それぞれの」は、あるセットのそれぞれの構成要素、またはあるセットのあるサブセットのそれぞれの構成要素を指す。
【００７６】
本開示の範囲から逸脱することなく、本明細書に説明される方法に対して、修正、追加、または省略が行われてよい。該方法は、より多くの、より少ない、または他のステップを含むことができる。さらに、ステップは任意の適した順序で行われてよい。
【００７７】
本開示はある特定の実施形態に関して説明されているが、当業者には、実施形態の変形例および置換例が明らかとなろう。それ故に、実施形態の上記説明は本開示を制約しない。本開示の趣旨および範囲から逸脱することなく、以下の特許請求の範囲によって規定されるように、他の変更、代入、および変形が可能である。
【符号の説明】
【００７８】
ＡＲＰ  認証保持優先度
ＣＡ  キャリアアグリゲーション
ＣＣ  コンポーネントキャリア
ＣＱＩ  チャネル品質インジケータ
ｅＮＢ  エボルブドＮｏｄｅＢ（基地局）
ＨＡＲＱ  ハイブリッド自動反復要求
ＰＤＣＣＨ  物理ダウンリンク制御チャネル
ＰＭＩ  プリコーディングマトリクスインジケータ
ＰＲＢ  物理リソースブロック
ＰＵＣＣＨ  物理アップリンク制御チャネル
ＰＵＳＣＨ  物理アップリンク共有チャネル
ＱＣＩ  ＱｏＳクラス識別子
ＲＩ  ランクインジケータ
ＲＲＣ  無線リソース構成
ＲＲＨ  リモート無線ヘッド
ＲＳＲＰ  参照信号受信電力
ＲＳＲＱ  参照信号受信品質
ＳＲ  スケジューリングリクエスト
ＴＡＧ  タイムアライメントグループ
ＴＡＴ  タイムアライメントタイマ
ＵＥ  ユーザ機器
【図１】
0006510069.tif 000002
【図２】
0006510069.tif 000003
【図３】
0006510069.tif 000004
【図４】
0006510069.tif 000005
【図５】
0006510069.tif 000006
【図６】
0006510069.tif 000007
【図７】
0006510069.tif 000008
【図８】
0006510069.tif 000009